(57)【要約】【課題】無線式警報器と無線通報受信機との間の受信電界強度を、無線式警報器の設置作業者が得たいときに把握し、無線式警報器の最適な設置場所を探すことが可能な無線通報システムを提供する。【解決手段】無線通報受信機２から送信されたデータを受信するセンタ監視装置４と、それに接続されたウェブサーバ５とを備える。無線式警報器１は、その設置作業者のテスト操作を受けて、テスト通報データを送信する。無線通報受信機２は、無線式警報器１からテスト通報データを受信したときに、受信電界強度を検出し、検出した受信電界強度の値を付加してテスト通報データをセンタ監視装置４へ送信する。センタ監視装置４は、無線通報受信機２から送信された受信電界強度の値を受信してウェブサーバ５に伝送し、ウェブサーバ５は、その受信電界強度の値を、設置作業者の携帯端末７からインターネット網６を経由して閲覧可能な状態で記憶する。【選択図】図１
2009199508.tif 000002
【特許請求の範囲】
【請求項１】
通報すべきデータを無線送信する無線式警報器と、該無線式警報器から送信されたデータを受信し、該受信したデータを通信回線を介して送信する無線通報受信機と、該無線通報受信機から送信されたデータを前記通信回線を介して受信するセンタ監視装置とを備えた無線通報システムにおいて、
前記センタ監視装置に接続されたウェブサーバ装置を備え、
前記無線式警報器は、該無線式警報器の設置作業者のテスト操作を受けて、テスト通報データを送信し、
前記無線通報受信機は、前記無線式警報器からテスト通報データを受信したときに、受信電界強度を検出し、該検出した受信電界強度の値を付加して、前記無線式警報器から受信したテスト通報データを前記センタ監視装置へ送信し、
前記センタ監視装置は、前記無線通報受信機から送信された受信電界強度の値を受信して前記ウェブサーバ装置に伝送し、
前記ウェブサーバ装置は、前記伝送された受信電界強度の値を、前記設置作業者の携帯端末からインターネット網を経由して閲覧可能な状態で記憶することを特徴とする無線通報システム。
【請求項２】
請求項１に記載の緊急無線通報システムであって、
前記無線式警報器は、前記テスト操作を受けて、テスト通報データを一定間隔で繰り返し送信し、
前記ウェブサーバ装置は、前記センタ監視装置から伝送された受信電界強度の値を、前記繰り返しにより受け取る度に更新又は追加しながら記憶することを特徴とする無線通報システム。
【請求項３】
請求項２に記載の無線通報システムにおいて、
前記無線式警報器は、前記テスト操作を受けて、テスト通報データを一定間隔で繰り返し送信中に、テスト終了操作を受けたときに又はテスト操作から所定の時間経過したときに、前記テスト通報データの送信を止めてテスト終了通報データを送信し、
前記無線通報受信機は、前記無線式警報器からテスト終了通報データを受信したときに、前記無線式警報器から受信したテスト終了通報データを前記センタ監視装置へ送信し、
前記センタ監視装置は、前記テスト終了通報データを受信したときに、前記ウェブサーバ装置に対し、前記テスト通報データの繰り返し送信中に伝送した受信電界強度の値の全てを消去、或いは最後の一値を残して消去するように、指示することを特徴とする無線通報システム。
【請求項４】
請求項１〜３のいずれか１項に記載の無線通報システムにおいて、
前記ウェブサーバ装置が前記センタ監視装置に接続されて構成される代わりに、前記センタ監視装置にウェブサーバ装置が組み込まれて構成されていることを特徴とする無線通報システム。
【発明の詳細な説明】
【技術分野】
【０００１】
本発明は、無線通報システムに関し、より詳細には、設置場所の電波状況を監視することができる、無線式火災警報器等の無線式警報器、無線通報受信機、及びセンタ監視装置を備えた無線通報システムに関する。
【背景技術】
【０００２】
従来から、緊急時や一定間隔で通報を行うために、無線通報システムが利用されている。この無線通報システムは、住宅等に設置された無線式火災警報器等の無線式警報器と、無線式警報器からの通報を受信するために同じく住宅等に設置された無線通報受信機と、複数の無線通報受信機からの通報を、ガス事業者等のサービス提供者が監視できるようにするために設置されたセンタ監視装置とを備えている。
【０００３】
このような無線通報システムでは、無線式警報器から火災警報や定期通報などの通報データを対向する無線通報受信機に送る場合、一般的な通信方式として単向通信方式を採用している。
【０００４】
単向通信方式は、無線式警報器の無線送信部から火災警報や定期通報等の通報データを対向する無線通報受信機の無線受信部に一方的に無線送信する方法であるが、無線式警報器に無線受信部を持たなくて良いため、消費電力も小さく安価に構成できるという利点がある。
【０００５】
このような無線通報システムにおいては、利用者宅で無線式警報器を移動したり、無線式警報器付近の家具を移動することにより、無線通信障害（電波が弱くなる、電波ノイズ発生源に近づく等）が起こる。従って、サービス提供者は通常時からセンタ監視装置に上がってくる定時通報データを取得することによって、無線式警報器と無線通報受信機間に通信障害がないことを監視している。
【０００６】
しかし、無線式警報器の設置時には、通信障害がないかを電波状況（通信状況）を確認しながら設置位置を決定する必要がある。
【０００７】
なお、双方向通信を採用した端末同士について、そのような確認を補助することが可能なシステムも開示されている（例えば、特許文献１を参照）。特許文献１には、双方向通信が可能な親機と子機との間の通信状況を、親機がセンタ装置に送信し、センタ装置から子機の設置作業者の携帯端末に対してその通信状況を電子メールで送信するシステムが開示されている。
【特許文献１】特開２００１-２８５３６５号公報
【発明の開示】
【発明が解決しようとする課題】
【０００８】
上述のごとく、無線式警報器を設置する場合には無線通報受信機との電波状況を確認しながら設置することができればよいが、単向通信方式の場合、無線式警報器と無線通報受信機間の電波状況を無線式警報器で確認することができない。
【０００９】
無線通報受信機側に、電界強度測定部及び電界強度表示部を設けることで無線式警報器からの電波状況を表示することが可能であるが、一般的にそれらの機器の設置位置は離れていることが多く、一人で設置作業を実施する場合は確認ができないだけでなく、このような余計な構成を必要とするため、コストが増えたり、サイズが大きくなり好ましくない。
【００１０】
また、無線式警報器と無線通報受信機との間の通信として、単向通信方式等の一方通行の通信方式で応答がない無線通信方式を採用せずに、双方向通信を採用した場合には、特許文献１に記載のシステムで通信状況の確認が可能である。しかしながら、特許文献１に記載のシステムでは、通信状況が一方向へ伝達され携帯端末で受動的に通信状況を受けるため、可能な限り良好な通信環境の設置場所を選ぼうとする場面では、通信状況を送信するタイミングが非常に難しくなる。つまり、通信状況の送信間隔を短くすると設置作業者は携帯端末で頻繁に通信状況を受け取らなければならず、煩わしい上にその受け取りが無駄になることもあり、逆に、送信間隔を長くすると試したい複数の位置の間で無線式警報器を移動させながら設置場所を決めるような場面では通信状況が欲しい状況で得られなくなる。
【００１１】
本発明は、上述のごとき実情に鑑みてなされたものであり、無線式警報器と無線通報受信機との間の受信電界強度を、無線式警報器の設置作業者が得たいときに把握し、無線式警報器の最適な設置場所を探すことが可能な無線通報システムを提供することを、その目的とする。
【課題を解決するための手段】
【００１２】
上述の課題を解決するために、本発明の第１の技術手段は、通報すべきデータを無線送信する無線式警報器と、該無線式警報器から送信されたデータを受信し、該受信したデータを通信回線を介して送信する無線通報受信機と、該無線通報受信機から送信されたデータを前記通信回線を介して受信するセンタ監視装置とを備えた無線通報システムにおいて、前記センタ監視装置に接続されたウェブサーバ装置を備え、前記無線式警報器は、該無線式警報器の設置作業者のテスト操作を受けて、テスト通報データを送信し、前記無線通報受信機は、前記無線式警報器からテスト通報データを受信したときに、受信電界強度を検出し、該検出した受信電界強度の値を付加して、前記無線式警報器から受信したテスト通報データを前記センタ監視装置へ送信し、前記センタ監視装置は、前記無線通報受信機から送信された受信電界強度の値を受信して前記ウェブサーバ装置に伝送し、前記ウェブサーバ装置は、前記伝送された受信電界強度の値を、前記設置作業者の携帯端末からインターネット網を経由して閲覧可能な状態で記憶することを特徴としたものである。
【００１３】
第２の技術手段は、第１の技術手段において、前記無線式警報器は、前記テスト操作を受けて、テスト通報データを一定間隔で繰り返し送信し、前記ウェブサーバ装置は、前記センタ監視装置から伝送された受信電界強度の値を、前記繰り返しにより受け取る度に更新又は追加しながら記憶することを特徴としたものである。
【００１４】
第３の技術手段は、第２の技術手段において、前記無線式警報器は、前記テスト操作を受けて、テスト通報データを一定間隔で繰り返し送信中に、テスト終了操作を受けたときに又はテスト操作から所定の時間経過したときに、前記テスト通報データの送信を止めてテスト終了通報データを送信し、前記無線通報受信機は、前記無線式警報器からテスト終了通報データを受信したときに、前記無線式警報器から受信したテスト終了通報データを前記センタ監視装置へ送信し、前記センタ監視装置は、前記テスト終了通報データを受信したときに、前記ウェブサーバ装置に対し、前記テスト通報データの繰り返し送信中に伝送した受信電界強度の値の全てを消去、或いは最後の一値を残して消去するように、指示することを特徴としたものである。
【００１５】
第４の技術手段は、第１〜第３のいずれかの技術手段において、前記ウェブサーバ装置が前記センタ監視装置に接続されて構成される代わりに、前記センタ監視装置にウェブサーバ装置が組み込まれて構成されていることを特徴としたものである。
【発明の効果】
【００１６】
本発明によれば、無線通報システムにおいて、無線式警報器と無線通報受信機との間の受信電界強度を、無線式警報器の設置作業者が得たいときに把握し、無線式警報器の最適な設置場所を探すことが可能となる。
【発明を実施するための最良の形態】
【００１７】
図１は、本発明に係る無線通報システム（緊急無線通報システム）の一構成例を示すブロック図で、図中、１は無線式警報器、２は無線通報受信機、３は公衆回線網、４はセンタ監視装置、５はウェブサーバ装置（以下、ウェブサーバという）、６はインターネット網、７は携帯電話機やＰＤＡ（携帯情報端末）等の携帯端末である。
【００１８】
図１で説明する緊急無線通報システム（以下、本システムという）は、利用者宅に設置した複数の無線式警報器１と、同じく利用者宅に通常１台（複数でも可）設置した無線通報受信機２と、サービス提供者が持つセンタ監視装置４と、同じくサービス提供者が持つウェブサーバ５と、サービス提供側の無線式警報器１の設置作業者が持つ携帯端末７とを備える。無線式警報器１が利用者宅に仮で設置され、好ましい設置場所を探している段階である場合に、本発明は特に有用である。
【００１９】
以下、無線式警報器１と無線通報受信機２との間の通信方式として、本発明の効果をより奏することになる「単向通信方式」を採用したことを前提に説明するが、少なくとも無線式警報器１から無線通報受信機２へ無線送信が可能であればよく、双方向通信が可能な無線式警報器及び無線通報受信機にも適用することができる。
【００２０】
無線式警報器１は、電池駆動の無線式火災警報器や無線式ガス漏れ警報器や無線式各種センサ機器等である。無線式警報器１は、例えば、利用者宅で火災等を検知するセンサ部と、センサ部で火災等が検知されると即時に火災通報等のデータを無線通報受信機２に単向通信方式で無線送信する無線送信部と、それらを制御する制御部とを備える。尚、無線式警報器１は、緊急を要する火災警報のデータだけでなく、定期通報、電池切れ通報、故障通報、テスト通報、テスト終了通報などの通報データを送信する。また、各無線式警報器１は個々にＩＤ等の識別可能な情報を保持し、通報データにこのＩＤを含めて（或いは付加して）送信する。
【００２１】
無線通報受信機２は、例えば、無線式警報器１から送信された火災通報データ等の通報データを受信する無線受信部と、その受信電界強度を測定（検出）する受信電界強度測定部（受信電界強度検出部）と、無線受信部で受信した通報データに測定した受信電界強度の値を付加して、公衆回線網３等の通信回線を介してセンタ監視装置４に伝送する通信部と、それらを制御する制御部とを備える。なお、無線通報受信機２とセンタ監視装置４との接続は有線接続である必要性はない。
【００２２】
また、無線通報受信機２は個々にＩＤ等の識別可能な情報を保持しており、センタ監視装置４に送信する通報データにこのＩＤを含めて（或いは付加して）送信する。このとき、無線式警報器１のＩＤも合わせて送信することが好ましいが、送信しなくてもよい。また、無線式警報器１のＩＤが存在するのであれば、無線通報受信機２のＩＤは特に通報データに含ませなくてもよい。
【００２３】
センタ監視装置４は無線通報受信機２と公衆回線網３等の通信回線にて接続され、例えば、無線通報受信機２から送信された受信電界強度の値が付加された通報データを受信する通信部と、受信した通報データのうち少なくとも受信電界強度の値及び無線通報受信機２のＩＤ（及び無線式警報器１のＩＤ）を記憶する記憶部と、ウェブサーバ５に接続して情報を伝送するための第２の通信部と、表示部と、それらを制御する制御部とを備える。この記憶部は、これらの情報をウェブサーバ５に伝送するために一時的な記憶を行うだけでもよい。無線式警報器１や無線通報受信機２は個々にＩＤを持っており、センタ監視装置４はそのＩＤを元に無線通報受信機２や利用者を特定している。
【００２４】
また、センタ監視装置４はウェブサーバ５に接続しておくことで、インターネット網６に接続できる。センタ監視装置４は、一般的なＰＣにおいて、受信した各データに基づき監視処理を行うソフトウェアを実行可能に組み込むことで実現できる。なお、センタ監視装置４にて火災通報を確認したサービス提供者は、利用者が指定する連絡先や近隣の消防署に連絡することになる。
【００２５】
ウェブサーバ５は、センタ監視装置４と有線ケーブルや無線通信により接続されていればよく、そのハードウェア構成は一般的なウェブサーバと同様でよい。ウェブサーバ５は、例えば、センタ監視装置４から伝送された受信電界強度の値やＩＤなどを受信する通信部と、受信したそれらのデータを記憶する記憶部と、インターネット網６に直接又はＬＡＮ等のネットワークを介して接続しデータ通信を行うためのネットワーク通信部と、それらを制御する制御部とを備える。そして、ウェブサーバ５は、これら構成を備えたサーバコンピュータに、ネットワーク通信部を介して、閲覧要求のあった記憶部内の情報を閲覧可能に提供するウェブサーバプログラムを、実行可能に組み込むことで実現できる。ここで、記憶部への閲覧可能な状態での格納の対象は、通報データ全てに対する受信電界強度の値やＩＤでなくてもよく、少なくともテスト通報データに対する受信電界強度の値やＩＤが含まれていればよい。
【００２６】
携帯端末７は、例えば、基地局との通信を行う無線通信部と、各種情報を表示する表示部と、操作を行う複数の入力キー等でなる操作部と、通話時等の音声の入力及び出力を行う音声入出力部と、各種情報を記憶する記憶部と、それらを制御する制御部とを備える。そして、携帯端末７は、携帯端末網とインターネット網６とを経由してウェブサーバ５にアクセスし、ウェブサーバ５内の情報を閲覧するためのウェブブラウザを制御部に搭載している。利用者宅での設置作業者は、この携帯端末７のウェブブラウザ（ウェブ閲覧機能）を利用して、ウェブサーバ５のアドレスを指定することでウェブサーバ５にアクセスできる。
【００２７】
上述のごとき構成を持つ本システムにおいて、本発明の主たる特徴は、無線式警報器１のテスト通報データの送信をトリガとして、最終的に設置作業者が持つ携帯端末７で、そのテスト通報データの無線通報受信機２における受信電界強度の値を閲覧できるようにすることにある。
【００２８】
この閲覧に至るまでの本システムの動作例について、図２及び図３を併せて参照しながら説明する。図２は、図１の緊急無線通報システムにおけるテスト通報の一例を説明するための図である。また、図３は、図１の緊急無線通報システムにおけるウェブサーバで保持及び提供されるデータの一例を示す図で、図中、３０はデータを表示した画面例である。
【００２９】
まず、設置作業者が無線式警報器１を仮の位置に設置する。無線式警報器１は、その設置作業者のテスト操作を受けて、自器のＩＤを付加してテスト通報データを送信し、無線通報受信機２がそれを受信する（ステップＳ１）。ここで、テスト操作とは、無線式警報器１のスイッチをオンすること、或いはリードスイッチによる操作などが挙げられる。
【００３０】
無線通報受信機２は、無線式警報器１からテスト通報データを受信したときに、受信電界強度を検出し、検出した受信電界強度の値を付加してそのテスト通報データを、公衆回線網３を介してセンタ監視装置４へ送信し、センタ監視装置４がそれを受信する（ステップＳ２）。このとき、無線通報受信機２は自器のＩＤも付加してテスト通報データを送信する。なお、本システムにおいて、テスト操作時以外には、受信電界強度の検出やその値の付加などを実行しないよう構成しておいてもよい。
【００３１】
センタ監視装置４は、無線通報受信機２から送信された受信電界強度の値を受信して、受信したテスト通報データを解析し、得られた受信電界強度の値と無線式警報器１及び無線通報受信機２のＩＤとを関連付けてウェブサーバ５に伝送する（ステップＳ３）。
【００３２】
ウェブサーバ５は、その受信電界強度の値をＩＤと共に、設置作業者の携帯端末７からインターネット網６を経由して閲覧可能な状態で記憶部に記憶する。そして、無線式警報器１の設置作業者が携帯端末７にて、インターネット網６を少なくとも介して、ウェブサーバ５にアクセスし、受信電界強度の値を閲覧する（ステップＳ４）。ここで、上述したように、センタ監視装置４は、受信電界強度の値のみではなく無線式警報器１（及び無線通報受信機２）のＩＤもウェブサーバ５に渡しているため、携帯端末７からそのＩＤなどにより閲覧したい受信電界強度の値を選択して、設置作業者がその値を閲覧することができる。
【００３３】
このとき携帯端末７で閲覧可能なデータは、図３のウェブ画面３０で例示するように、設置作業者がテスト通報を行った無線式警報器１のＩＤ、無線式警報器１からのテスト通報を受信した無線通報受信機２のＩＤと受信電界強度（ＲＳＳＩ）、無線通報受信機２が受信した年月日時分秒などである。これらの情報がウェブサーバ５の記憶部に保持されており、携帯端末７からのアドレス（ウェブサーバ５のアドレス）指定及びＩＤ指定によりウェブ上で閲覧できる。
【００３４】
設置作業者は、このようにしてセンタ監視装置４経由で伝送された受信電界強度の値を携帯端末７からウェブサーバ５を参照することで、設置テスト時の受信電界強度の値をリアルタイムに閲覧することができる。そして、設置作業者は、無線式警報器１を適宜移動させ、そのときの受信電界強度の値を閲覧することで、仮に設置した位置がよいかどうかを判断し、最適な位置に無線式警報器１を設置することができる。
【００３５】
このように、本システムによれば、無線式警報器１と無線通報受信機２との間の受信電界強度を、無線式警報器１の設置作業者が得たいときに設置作業者の携帯端末７のウェブ画面で把握することができるので、無線式警報器１の最適な設置場所を探すことができ、最適な位置に設置することができる。また、本システムでは、設置作業者は通信状況を得たいときに閲覧すればよいだけであるため、通信状況を送信するタイミングは適宜決めておけばよい。
【００３６】
本システムの他の動作例を、図４及び図５を参照して説明する。図４は、図１の緊急無線通報システムにおけるテスト通報の他の例を説明するための図である。また、図５は、図１の緊急無線通報システムにおけるウェブサーバで保持及び提供されるデータの他の例を示す図で、図中、５０はデータを表示した画面例である。
【００３７】
ステップＳ１〜Ｓ４で説明したのと同様に、設置作業者がテスト操作を行うことで、無線式警報器１がテスト通報データの送信し、最終的に設置作業者が持つ携帯端末７で、そのテスト通報データの無線通報受信機２における受信電界強度の値を閲覧できる（ステップＳ１１〜Ｓ１４）。
【００３８】
本動作例では、図２で説明した動作例と異なり、ステップＳ１１で設置作業者からテスト操作を受けた無線式警報器１は、一定間隔毎、例えば５秒間隔毎に連続してテスト通報を送信し、それに伴いテスト通報がなされる度に無線通報受信機２、センタ監視装置４、ウェブサーバ５が同様の処理を行う。図４では、最初の処理をステップＳ１１〜Ｓ１４で示し、５秒後の２回目の送信及びそれに伴う処理をステップＳ１５（ステップＳ１１に対応）、ステップＳ１６（ステップＳ１２に対応）、ステップＳ１７（ステップＳ１３に対応）、及びステップＳ１４で図示している。
【００３９】
より具体的には、無線式警報器１にてＩＤを付加してテスト通報データを送信し、これを無線通報受信機２が受信し（ステップＳ１１）、無線通報受信機２にて受信電界強度を測定し、その受信電界強度と無線通報受信機２のＩＤを付加して公衆回線網３を介してセンタ監視装置４に伝送し、センタ監視装置４がそれを受信する（ステップＳ１２）。このとき、無線通報受信機２とセンタ監視装置４との間の回線接続は維持したままとする。
【００４０】
そして、初回のテスト通報データ送信から５秒後に、無線式警報器１にてＩＤを付加してテスト通報データを送信し、これを無線通報受信機２が受信し（ステップＳ１５）、無線通報受信機２にて受信電界強度を測定し、その受信電界強度と無線通報受信機２のＩＤを付加して公衆回線網３を介してセンタ監視装置４に伝送、センタ監視装置４がそれを受信する（ステップＳ１６）。
【００４１】
センタ監視装置４は、このようにして次々に伝送される受信データを解析し、得られた受信電界強度と無線式警報器１のＩＤ及び無線通報受信機２のＩＤをウェブサーバ５へ送信する（ステップＳ１３，Ｓ１７）。携帯端末７にてウェブサーバ５にアクセスし、受信電界強度の値を、５秒間隔の値として閲覧することができる（ステップＳ１４）。
【００４２】
このように、本動作例における無線式警報器１は、テスト操作を受けて、テスト通報データを一定間隔で繰り返し送信する。つまり、無線式警報器１は、テスト通報データを一定間隔で連続して送信する。そして、ウェブサーバ５は、センタ監視装置４から伝送された受信電界強度の値を、上記繰り返しにより受け取る度に、追加しながら閲覧可能に記憶する（追記する）。
【００４３】
このとき携帯端末７で閲覧可能なデータは、図５のウェブ画面５０で例示するように、ウェブ画面３０と同様の内容５１を含んでいる。そして、これらの情報（各ＩＤ、ＲＳＳＩ、受信した年月日時分秒など）が、上述の繰り返し送信の間隔（上述の例では５秒間隔）毎にウェブサーバ５の記憶部に保持されており、携帯端末７からのアドレス（ウェブサーバ５のアドレス）指定及びＩＤ指定によりウェブ上で閲覧できる。
【００４４】
また、ウェブ画面５０では、受信電界強度の値のグラフ表示画像５２も表示しており、ウェブサーバ５は、このグラフ表示を上述の繰り返し送信の間隔（上述の例では５秒間隔）で更新しておく。ウェブ画面５０では、このグラフのうち最新の値のみを内容５１として具体的に数値表示している。また、更新したグラフ表示画像５２は、更新の度に携帯端末７に送信すればよい。画面更新したときに携帯端末７から音を出すことにより、設置作業者に対して画面が更新されたことを通知するようなウェブサイトとしてもよい。また、受信電界強度に応じて音色を変更することで、設置作業者に対して画面を見ることなく設置位置を調整できるようなウェブサイトとしてもよい。
【００４５】
このように、本動作例における本システムでは、無線式警報器１と無線通報受信機２との間の受信電界強度を携帯端末７で連続的に把握するよう構成することで、無線式警報器１を最適な位置に設置することができる。
【００４６】
また、更新したグラフ表示画像５２を更新の度に送信しない形態を採用した場合、携帯端末７の画面は、設置操作者が更新したいタイミングで更新操作を行えば、最短でその間隔（例えば５秒間隔）の受信電界強度の値が閲覧できる。
【００４７】
また、ウェブサーバ５が受信電界強度の値を更新しながら閲覧可能に記憶する代わりに、受け取る度に更新（上書き）しながら、設置作業者の携帯端末７から閲覧可能な状態で記憶してもよい。この場合、携帯端末７で閲覧できる情報は、図３のウェブ画面３０のごとき情報だけであり、過去（５秒前、１０秒前等）の履歴が閲覧できないことになる。
【００４８】
以上、本動作例について、様々な応用例も併せて説明したが、本動作例においては連続的に繰り返しテスト通報データの送信を行うため、それを停止させる必要がある。そのため、本動作例の無線式警報器１はそのようなテスト終了操作（テスト通報停止操作）を行えるように構成するか、或いは規定された時間経過後によりテスト通報を停止するよう構成しておくとよい。ここで、テスト終了操作とは、例えば無線式警報器１のスイッチをオフすること、リードスイッチによる終了操作などが挙げられる。
【００４９】
そして、無線式警報器１は、テスト操作を受けてテスト通報データを一定間隔で繰り返し送信中に、テスト終了操作を受けたときに又はテスト操作から所定時間経過後に、テスト通報データの送信を止めて、テスト終了通報データを送信し、無線通報受信機２がそれを受信するとよい（ステップＳ１８）。テスト終了通報データにもＩＤを付加しておくことで、終了対象の無線式警報器１が判別できる。無線通報受信機２は、無線式警報器１からこのテスト終了通報データを受信したときに、そのテスト終了通報データをセンタ監視装置４へ送信し、センタ監視装置４がそれを受信する（ステップＳ１９）。無線通報受信機２はその送信をもって回線を切断し、センタ監視装置４は、その受信により無線通報受信機２との回線を切断する。
【００５０】
また、テスト終了後、テスト中の受信電界強度の値をウェブサーバ５に残しておいてもよいが、不要である場合が多いため消去することが好ましい。従って、センタ監視装置４は、テスト終了通報データを受信したときに、ウェブサーバ５に対し、テスト通報データの繰り返し送信中に伝送した受信電界強度の値の全てを消去するように指示するか、或いは最後の一値を残して消去するように指示することが好ましい。テスト終了通報データにもＩＤを付加しておくことで、消去対象の無線式警報器１の情報が判別できる。
【００５１】
以上、本システムについてウェブサーバ５がセンタ監視装置４に接続されて構成されるものとして説明したが、本発明に係る無線通報システムでは、センタ監視装置４にウェブサーバ５が組み込まれて構成されていてもよい。例えばウェブサーバプログラムとしてセンタ監視装置４の制御部で実行可能に搭載しておけばよい。そのような構成では、受信した受信電界強度の値はセンタ監視装置４の記憶部に記憶し、閲覧要求時にはウェブサーバ５により読み出されることになる。また、消去時には、センタ監視装置４が自身の記憶領域から消去を実行することになる。
【図面の簡単な説明】
【００５２】
【図１】本発明に係る無線通報システム（緊急無線通報システム）の一構成例を示すブロック図である。
【図２】図１の緊急無線通報システムにおけるテスト通報の一例を説明するための図である。
【図３】図１の緊急無線通報システムにおけるウェブサーバで保持及び提供されるデータの一例を示す図である。
【図４】図１の緊急無線通報システムにおけるテスト通報の他の例を説明するための図である。
【図５】図１の緊急無線通報システムにおけるウェブサーバで保持及び提供されるデータの他の例を示す図である。
【符号の説明】
【００５３】
１…無線式警報器、２…無線通報受信機、３…公衆回線網、４…センタ監視装置、５…ウェブサーバ装置（ウェブサーバ）、６…インターネット網、７…携帯端末。
【図１】
2009199508.tif 000003
【図２】
2009199508.tif 000004
【図３】
2009199508.tif 000005
【図４】
2009199508.tif 000006
【図５】
2009199508.tif 000007